(57)【特許請求の範囲】
【請求項１】
スピーカユニットの背面を密閉する第１の気室と、
上記スピーカユニットの前面に設けられた第２の気室と、
上記第２の気室より突出するように設けられると共に、上記第１の気室を貫通するように配設され、当該第２の気室内に発生する音波を通すダクトと、
上記ダクトに連接されて上記音波を外部に放射するポートと、
上記第１および第２の気室を仕切る仕切り板および上記ダクトの一部を構成する第１の部材と、
上記第１の気室、上記ダクトの一部および上記ポートを構成する第２の部材と、
上記第２の気室を構成する第３の部材とを備え、
上記第１の部材に上記スピーカユニットが取り付けられてなるケルトン形スピーカ。
【発明の詳細な説明】
【０００１】
【発明の属する技術分野】
この発明は、例えばテレビ受信機のサブウーハ等に使用して好適なケルトン形スピーカに関する。詳しくは、ダクトを、第２の気室より突出するように形成すると共に第１の気室を貫通するように配設することによって、ダクトを太くして風切音の発生を低減でき、また部品点数を少なくして組立の手間を減らすようにしたケルトン形スピーカに係るものである。
【０００２】
【従来の技術】
通常のテレビ受信機は、キャビネットに排熱口を有するため、充分な低音を得ることができなかった。そこで、キャビネットにサブウーハを内蔵することで、キャビネットの形状に関係なく重低音再生を可能としたテレビ受信機が提案されている。このサブウーハとして、例えばケルトン形スピーカが使用される。
【０００３】
図２は、従来のケルトン形スピーカの一例を示す要部断面図である。このケルトン形スピーカ２００は、スピーカユニット２０１の背面を第１の気室２０２で密閉すると共に、スピーカユニット２０１の前面に第２の気室２０３を設け、この第２の気室２０３内に発生する音波をダクト２０４およびこのダクト２０４に連接されたポート（開口部）２０５を通じて外部に放射する構造とされている。
【０００４】
そして、このケルトン形スピーカ２００は、第１の気室２０２および第２の気室２０３を仕切る仕切り板を構成する第１の部材２１１と、第１の気室２０２を構成する第２の部材２１２と、第２の気室２０３、ダクト２０４の一部およびポート２０５を構成する第３の部材２１３と、ダクト２０４の一部を構成する第４の部材２１４とを備え、第１の部材２１１にスピーカユニット２０１が取り付けられて構成されている。なお、第１〜第３の部材２１１〜２１３は、ネジ２１５を使用して一体化されている。
【０００５】
また、第４の部材２１４は、第３の部材２１３のダクト部分に圧入されることで一体化されている。第４の部材２１４で構成されるダクト２０４の端部２０４ｅはＲを付けた形状とされている。これは、風切音の発生を防止するためである。このようにダクト２０４の端部２０４ｅをＲを付けた形状とするため、金型による成形の関係から、ダクト２０４の部分は、第３の部材２１３と第４の部材２１４とに分けて形成されている。
【０００６】
ここで、ケルトン形スピーカについて、さらに詳細に説明する。
【０００７】
ケルトン形スピーカは、古くから用いられている帯域フィルタ特性を持つ低音再生用スピーカである。図３は、このケルトン形スピーカの基本的構造を示している。すなわち、スピーカユニット３０１の背面が第１の気室３０２で密閉される。また、スピーカユニット３０１の前面に第２の気室３０３が設けられる。そして、この第２の気室３０３内に発生する音波（空気振動）がダクト３０４およびこのダクト３０４に連接されたポート（開口部）３０５を通じて外部に放射される。
【０００８】
このようにポート３０５から放射される音波の出力音圧周波数特性は、図４に示すように、帯域フィルタ特性となる。このような帯域フィルタ特性となるのは、ケルトン形スピーカには、ｆL，ｆB，ｆHの３つの共振周波数が存在するからである。
【０００９】
ｆLは、主に、第１の気室３０２内の空気の呈する弾性、スピーカユニット３０１の振動板の実効質量と振動板支持体の弾性、およびダクト３０４内の空気の等価質量の直列共振周波数である。このｆLが周波数帯域の低域限界を与える。また、ｆHは、主に、第１の気室３０２内の空気の呈する弾性、スピーカユニット３０１の振動板の実効質量と振動板支持体の弾性、および第２の気室３０３内の空気の呈する弾性の直列共振周波数である。このｆHが周波数帯域の高域限界を与える。また、ｆBは、第１の気室３０２内の空気の呈する弾性、およびダクト３０４内の空気の等価質量の並列共振周波数であり、音響的な共鳴器の共振周波数である。
【００１０】
【発明が解決しようとする課題】
図２に示すケルトン形スピーカ２００においては、ダクト２０４が第２の気室２０３内に配設されるものである。そのため、このダクト２０４の長さは第２の気室２０３の大きさで規制されることからそれほど長くできず、従ってこのダクト２０４をそれほど太くできず、風切音の発生に関しては不利であった。また、ダクト２０４の端部２０４ｅにＲを付けて風切音の発生を抑制するために第１〜第３の部材２１１〜２１３の他に、第４の部材２１４をも必要するものであり、部品点数が多くなると共に、組立の手間もそれだけかかっていた。
【００１１】
そこで、この発明では、ダクトを太くして風切音の発生を低減でき、また部品点数を少なくして組立の手間を減らすことができるケルトン形スピーカを提供することを目的とする。
【００１２】
【課題を解決するための手段】
この発明に係るケルトン形スピーカは、スピーカユニットの背面を密閉する第１の気室と、上記スピーカユニットの前面に設けられた第２の気室と、上記第２の気室より突出するように設けられると共に、上記第１の気室を貫通するように配設され、当該第２の気室内に発生する音波を通すダクトと、上記ダクトに連接されて上記音波を外部に放射するポートと、上記第１および第２の気室を仕切る仕切り板および上記ダクトの一部を構成する第１の部材と、上記第１の気室、上記ダクトの一部および上記ポートを構成する第２の部材と、上記第２の気室を構成する第３の部材とを備え、上記第１の部材に上記スピーカユニットが取り付けられてなるものである。
【００１３】
この発明において、ダクトは、第２の気室より突出するように設けられると共に、第１の気室を貫通するように配設される。そのため、従来のように、ダクトを第２の気室内に形成するものと比べて、ダクトを長くでき、そしてその分だけダクトを太くすることができる。これにより、風切音の発生を低減することが可能となる。
【００１４】
また、ダクトは、第２の気室より突出するように設けられると共に、第１の気室を貫通するように配設される。そのため、風切音の発生を防止するために、ダクトの第２の気室側の端部にＲを付ける必要があるが、これを第１および第２の気室を仕切るしきり板のダクト連接部分にＲを付けることで対処できる。
【００１５】
そのため、この発明に係るケルトン形スピーカは、第１および第２の気室を仕切る仕切り板およびダクトの一部を構成する第１の部材と、第１の気室、ダクトの一部およびポートを構成する第２の部材と、第２の気室を構成する第３の部材とを備え、第１の部材にスピーカユニットが取り付けられて構成される。これにより、従来に比べて、部品点数を少なくでき、組立の手間も減らすことが可能となる。
【００１６】
【発明の実施の形態】
以下、図面を参照しながら、この発明の実施の形態について説明する。図１は、実施の形態としてのケルトン形スピーカ１００の要部断面図である。
【００１７】
このケルトン形スピーカ１００は、スピーカユニット１０１の背面を第１の気室１０２で密閉すると共に、スピーカユニット１０１の前面に第２の気室１０３を設け、この第２の気室１０３内に発生する音波をダクト１０４およびこのダクト１０４に連接されたポート（開口部）１０５を通じて外部に放射する構造とされている。この場合、ダクト１０４は、第２の気室１０３より突出するように形成されると共に、第１の気室１０２を貫通するように配設される。
【００１８】
また、このケルトン形スピーカ１００は、第１の気室１０２および第２の気室１０３を仕切る仕切り板およびダクト１０４の一部を構成する第１の部材１１１と、第１の気室１０２、ダクト１０４の一部およびポート１０５を構成する第２の部材１１２と、第２の気室１０３を構成する第３の部材１１３とを備え、第１の部材１１１にスピーカユニット１０１が取り付けられて構成されている。
【００１９】
第１〜第３の部材１１１〜１１３は、ネジ１１４を使用して一体化されている。この場合、第１の部材１１１のダクト部分１１１ｄと第２部材１１２のダクト部分１１２ｄは先端部が嵌合され、これらダクト部分１１１ｄ，１１２ｄによってダクト１０４が構成されている。また、風切音の発生を防止するために、ダクト１０４の第２の気室１０３側の端部１０４ｅにＲが付けられる。これは、第１の部材１１１のダクト連接部分にＲを付けることで対処されている。
【００２０】
以上説明したように、本実施の形態においては、ダクト１０４は、第２の気室１０３より突出するように形成されると共に、第１の気室１０２を貫通するように配設される。そのため、図２に示す従来例のように、ダクト２０４を第２の気室２０３内に形成するものと比べて、ダクト１０４を長くでき、そしてその分だけダクト１０４を太くすることができる。これにより、従来例に比べて、風切音の発生を低減することができる。
【００２１】
また、風切音の発生を防止するために、ダクト１０４の第２の気室１０３側の端部にＲを付ける必要があるが、これを第１および第２の気室を仕切る仕切り板のダクト連接部分にＲを付けることで対処している。つまり、本実施の形態は、第１〜第３の部材１１１〜１１３を備え、第１の部材１１１にスピーカユニット１０１を取り付けた構成とされている。したがって、図２に示す従来例に比べて、部品点数を少なくでき、組立の手間も減らすことができる。
【００２２】
【発明の効果】
この発明によれば、第２の気室内に発生する音波を外部に放射するためのダクトが、第２の気室より突出するように設けられると共に、第１の気室を貫通するように配設され、第１および第２の気室を仕切る仕切り板およびダクトの一部を構成する第１の部材にスピーカユニットが取り付けられてなるものである。したがって、従来に比べてダクトを長くできることから、その分だけダクトを太くして風切音の発生を低減できる。また、部品点数を少なくして組立の手間を減らすことができる。
【図面の簡単な説明】
【図１】実施の形態としてのケルトン形スピーカの要部断面図である。
【図２】従来のケルトン形スピーカの一例の要部断面図である。
【図３】ケルトン形スピーカの基本的構造を示す断面図である。
【図４】ケルトン形スピーカの出力音圧周波数特性を示す図である。
【符号の説明】
１００  ケルトン形スピーカ
１０１  スピーカユニット
１０２  第１の気室
１０３  第２の気室
１０４  ダクト
１０５  ポート
１１１  第１の部材
１１２  第２の部材
１１３  第３の部材
【図１】
0004221807.tif 000002
【図２】
0004221807.tif 000003
【図３】
0004221807.tif 000004
【図４】
0004221807.tif 000005